(57)【要約】      （修正有）【課題】特殊な服を使うことなく、衣服に覆われた皮膚に直接に風を当てて効率よく涼しさを得ることが出来る電池で動く携帯扇風機を提供する。【解決手段】送風装置につないだ必要充分な長さのパイプを、通常の衣服の襟刳などの開口部を通して衣服の中に引き込み、肌着と皮膚の間に送風口を位置させ、出来るだけ広い面積の肌に風を直接に当てる。【選択図】図１
2006046310.tif 000002
【特許請求の範囲】
【請求項１】
電動モーターとファン等による送風手段（ア）、（ア）に電力を供給する電池などの電力供給手段（イ）、（ア）の電力供給を入切するためのスイッチ（ウ）、（ア）が発生した風を衣服の開口部から人体と衣服の間に導くパイプ（エ）から成る、利用者の身体に風を当てて涼しさを提供するための携帯扇風機。
【請求項２】
上記のパイプ（エ）が、利用者の着衣と身体との間の隙間部分を通ることを特徴とする、請求項１に記載された携帯扇風機。
【請求項３】
上記のパイプ（エ）が、風を身体と肌着の間に導くのに必要な長さにしたことを特徴とする、請求項１に記載された携帯扇風機。
【請求項４】
上記のパイプ（エ）が、伸縮でき、撓み、または、曲げられることを特徴とする、請求項１に記載された携帯扇風機。
【請求項５】
上記のパイプ（エ）が、身体と衣服の間で邪魔にならず且つ充分な断面積を確保するために、扁平な断面形状を持つことを特徴とする、請求項１に記載された携帯扇風機。
【請求項６】
上記のパイプ（エ）の、利用者の身体と着衣の間の隙間部分を通る部分の断面形状が、その隙間の形状に合わせて円弧型もしくは三日月形であることを特徴とする、請求項１に記載された携帯扇風機。
【請求項７】
上記のパイプ（エ）の吹き出し端の開口部からの風のみならず、パイプ（エ）の側面に配置した開口部（カ）からも風が吹き出し、その周囲の人体部分にも風が当たるようにすることを特徴とする、請求項１に記載された携帯扇風機。
【請求項８】
上記の送風手段（ア）と電力供給手段（イ）が一体化されておらず、送風手段（ア）に対して電池またはその他の電力供給手段（イ）から電線（キ）を通して供給することを特徴とする、請求項１に記載された携帯扇風機。
【請求項９】
上記の装置全体を衣服の開口部付近に固定するために、固定手段（オ）を有することを特徴とする、請求項１に記載された携帯扇風機。
【請求項１０】
上記の固定手段（オ）が衣服の襟を挟むことを特徴とする、請求項１に記載された携帯扇風機。
【発明の詳細な説明】
【技術分野】
【０００１】この発明は、携帯型の扇風機であって、特に衣服を着ていても利用者の身体の皮膚に風を直接に当てることによって涼しさを効率よく得られるものに関する。
【背景技術】
【０００２】従来の携帯し涼しさを供する装置には、例えば「着用エアコンデョショナ（特許文献１参照）」「電子冷却加熱機能並びに通気の機能を備えた衣服（特許文献２参照）」がある。これらは、空気を冷却するために電力消費が多大であり、分岐の複雑なチューブを服に固定するために取り扱いが面倒で重量もかさむ。【０００３】また例えば「携帯型人体熱交換装置（特許文献３参照）」では、送風手段が服またはポケットの中に設置されるため、服がふくらんで装着感が良くなく、また必要な空気を衣服の布目を通して吸気するので効率が良くない。【０００４】また例えば「衣服の強制通気冷却用装置（特許文献４参照）」では、通気空間を確保するために当該装置で衣服の裾を挟んで固定できるような衣服を着用する必要があり、腰に巻いた当該装置の高さと衣服の裾の高さを合わせられるような衣服を着用する必要がある。【０００５】また例えば「帯状送風装置（特許文献５参照）」「冷却衣服（特許文献６参照）」では、風が肌着に阻まれて身体に直接は当たらない。【０００６】
【特許文献１】特許公開２０００−３４６０１
【特許文献２】特許公開平６−２２０７０５
【特許文献３】特許公開平１１−１８２４８７
【特許文献４】特許公開平６−１２８８０１
【特許文献５】特許公開２００４−１２４８２８
【特許文献６】特願２００２−５６７０９０
【発明の開示】
【発明が解決しようとする課題】
【０００７】電池を電源とする扇風機あるいは送風装置を使って涼しさを得ようとする場合に、このような装置は一般に電力量が限られるために風量が少ない。また、その風が皮膚に直接に当たるのは顔など衣服に覆われていない部分のみであり、それ以外の身体部分は覆っている衣服や肌着によって風が遮られ、限られた風量の装置では涼しさを充分に得ることが出来ない。【０００８】風が衣服に遮られないようにする為に、送風装置の風を衣服の内側に送り入れることが考えられるが、通常の衣服には無いような開口部を以って風を送り入れるような衣服を使う事にすると、通常の衣服を着ている場合にはこの装置を使えない事になる。また、このような開口部を持つ衣服を着用し、ここから風を送り込んだとしても、その下に着用している肌着に風が遮られてしまい、皮膚に直接に風を当てることが出来ない。【０００９】通常の衣服を着ている場合、送風装置の風を衣服の内側に送り入れるために、衣服の襟口あるいは襟刳あるいは袖口あるいは裾周などの開口部を使うことが考えられるが、そのままでは、その下に着用している肌着に風が遮られてしまい、皮膚に直接に風を当てることが出来ない。【００１０】送風装置の風を衣服の開口部から肌着の内側に送り入れるために、パイプ等を利用することが考えられるが、これが長く、または複雑な形状をしている場合には、装着が面倒になり、重量が増え、装置が高価になる。【００１１】送風装置を利用するために、装置を利用者の身体にしっかりと、しかも着脱容易に、固定できる事が望ましい。
【課題を解決するための手段】
【００１２】通常の衣服の襟あるいは袖あるいは裾あるいは前ボタンの間などの開口部に、送風装置を着脱容易な方法で固定する。送風装置の吸入口は衣服の外に有って外気を吸入できるようにする。送風装置の風を必要充分な長さのパイプで導き、利用者の肌着と皮膚の間に送風口を位置させ、風が送り出した風が皮膚に直接に当たり、しかもその風ができるだけ広い面積の皮膚に直接に当たるように、あるいは汗をかきやすい皮膚の部分に直接に当たるようにする。
【発明の効果】
【００１３】電池などの限られた電力量の電源を使う携帯用の送風装置を使いながらも、衣服に覆われている皮膚に風を直接に当てることによって、効率よく涼しさを得ることが出来る。また、特殊な衣服を着ることなく、通常の衣服をそのまま利用できる。また、装置が身体に固定されるため、利用者の行動が自由であり、装置の着脱が容易である。
【発明を実施するための最良の形態】
【００１４】電動送風装置（ア）に電池等の電源装置（イ）とスイッチ（ウ）を接続する。送風装置には風を送るためのパイプを接続する。装置全体を襟刳などに固定するための固定装置を装備するか、装置が襟刳を挟むような形状にする。【００１５】この装置を利用するときには、この装置を衣服の襟刳などに固定し、送風装置の吸入口は衣服の外に有って外気を吸入できるように、パイプの排出口は肌着と肌の間に有って送り出した風が皮膚に直接に当たり、しかもその風ができるだけ広い面積の皮膚に当たるようにする。
【実施例１】
【００１６】直径５２ｍｍ厚さ１５ｍｍの電圧１２Ｖで動作するＤＣシロッコファン（ア）の送風口に、断面２０ｍｍ×１５ｍｍ長さ１５０ｍｍの蛇腹状のある程度は撓む送風パイプ（エ）が取り付けてある。シロッコファン（ア）の送風口の近くにはバネによるクリップ（オ）が固定され、衣服の襟を挟んで装置を襟に容易に着脱できるようになっている。この装置を利用者の衣服の襟刳から衣服内へ挿入し、シロッコファン（ア）の吸入口が首とは反対側に来て外気を吸入でき、かつ、パイプ（エ）の送風口が肌着と皮膚の間に位置するようにし、クリップ（オ）を使って衣服の襟に固定する。【００１７】パイプの下端の吹き出し口からは、風が吹き出して周囲の人体の部分に当たるようになっている。パイプ（エ）の側面には開口部（カ）があり、風が開口部（カ）からも吹き出して周囲の人体の部分に当たるようになっている。【００１８】シロッコファンのモーターには長さ６００ｍｍの電線（キ）を通して、電圧１２Ｖの電池（イ）とスイッチ（ウ）に接続されている。電池（イ）とスイッチ（ウ）は、利用者の腰ベルトに取り付けられる。
【実施例２】
【００１９】直径６２ｍｍ厚さ１５ｍｍの電圧６Ｖで動作するＤＣ軸流ファン（ア）の送風口に、空気室あるいは導風路（ク）を介して、断面６０ｍｍ×１５ｍｍ長さ１５０ｍｍの蛇腹状のある程度は撓む送風パイプ（エ）が取り付けてある。送風パイプ（エ）とファン（ア）との間に衣服の襟を挟んで装置を襟に固定し、かつ容易に着脱できるようになっている。この装置のパイプ部分（エ）を利用者の衣服の襟刳から衣服内へ挿入し、送風パイプ（エ）とファン（ア）の間の隙間に衣服の襟を挟んで固定する。パイプ（エ）の伸縮性と曲げることが出来る性質を用いて送風口が肌着と皮膚の間に位置するようにする。【００２０】パイプの下端の吹き出し口からは、風が吹き出して周囲の人体の部分に当たるようになっている。空気室（ク）には開口部（カ）があり、パイプ（エ）には開口部（カ）があり、導風板（ケ）の補助によって、風が開口部（カ）からも吹き出して周囲の人体の部分に当たるようになっている。【００２１】ファンのモーターには、長さ３００ｍｍの電線（キ）を通して、電圧１２Ｖの電池（イ）とスイッチ（ウ）に接続されている。電池（イ）とスイッチ（ウ）は、利用者の胸ポケットに収納される。
【産業上の利用可能性】
【００２２】携帯できる軽量の装置で、扇風機のように風を起こして涼しくする装置でありながら、利用者の歩行や肉体作業などの行動を妨げず、電力的にも装置の規模的にも効率よく涼しさを提供する。
【図面の簡単な説明】
【００２３】
【図１】「実施例１の装置とその装着状態を示した側面図および背面図である。」
【図２】「実施例１の装置の側面図および立面図である。」
【図３】「実施例２の装置とその装着状態を示した側面図および背面図である。」
【図４】「実施例２の装置の側面図および立面図である。」
【符号の説明】
【００２４】（ア）：  電動モーターとファン等による送風装置
（イ）：  （ア）に電力を供給する電池
（ウ）：  （ア）の電力供給を入切するためのスイッチ
（エ）：  （ア）が発生した風を衣服の開口部から人体と衣服の間に導くパイプ
（オ）：  装置全体を衣服の開口部に固定するための固定手段
（カ）：  （エ）や（ク）に開けられた開口部
（キ）：  電線
（ク）：  （ア）と（エ）を結ぶ空気室あるいは導風路
（ケ）：  （カ）から効率よく風が噴出するようにするための導風板
（コ）：  利用者の人体（皮膚）
（サ）：  利用者の上着
（シ）：  利用者の肌着
（ス）：  吸気口
（セ）：  吸気口から異物を吸い込まないようにするための網あるいはフィルタ
【図１】
2006046310.tif 000003
【図２】
2006046310.tif 000004
【図３】
2006046310.tif 000005
【図４】
2006046310.tif 000006